(57)【要約】      （修正有）【課題】従来のティッシュ箱スタンドは、立体構造で、ティッシュ箱をスタンドの上に置くタイプであることから、収納時や運搬時に嵩張り、ティッシュ箱とスタンドの一体感がなく、全体としての装飾的効果が少なく、スタンドそのものも、単体では装飾品として利用できないという問題があった。【解決手段】ティッシュ箱と一体化する差込部とティッシュ箱を所定の高さで安定して保持する脚部を併せ持つティッシュ箱スタンドを、一枚の板状または板状に近い単純な構造にすることにより、収納時や運搬時に嵩張らず、差し込むだけでティッシュ箱と一体化してティッシュ箱をインテリアとしても利用でき、ティッシュ箱スタンド本体も単体で装飾品として利用できるようにした板状構造のティッシュ箱スタンドを実現した。【選択図】図１
2008272291.tif 000002
【特許請求の範囲】
【請求項１】
上面にティッシュ取り出し口、側面に長い側面（以下「長側面」という。）と短い側面（以下「短側面」という。）が各２つあるティッシュ箱において、前記長側面の両端にある長側面折返し片と短側面とを軽度に糊付けした隙間（以下「ティッシュ箱長側面の隙間」と言う。）にティッシュ箱スタンドを差し込むことによって、ティッシュ箱とティッシュ箱スタンドが一体化し、ティッシュ箱上面を垂直よりやや後方に傾けてティッシュ箱を所定の高さで中空に保持する、左右一対の差込式ティッシュ箱スタンドであって、前記ティッシュ箱スタンドは差込部と脚部とを有する一枚の板状の構造であり、前記ティッシュ箱スタンドの一端側の差込部と他端側の脚部とが連続して形成されており、前記差込部は、ティッシュ箱長側面の隙間に差し込める厚さと、ティッシュ箱長側面の隙間に内接する幅、及び短側面両端に接する一方の長側面折返し線から他方の長側面折返し線手前まで達する長さを有し、前記脚部は、ティッシュ箱スタンドとしての所定の高さを確保し、ティシュ箱にティッシュ箱スタンドを差し込んだ状態で、ティッシュ箱上面の延長線と、ティッシュ箱スタンドの脚部底辺とが交わる角度を鋭角として、使用時に倒れない脚部底辺の長さ、及び差込部の幅より広い脚部上端の幅を有することを特徴としており、前記差込部を、短側面と、その内側に位置する２つの長側面折返し片との間２箇所を通るように挿入することにより、ティッシュ箱とティッシュ箱スタンドを固定して一体化させることを可能とした、左右一対で単純な構造の差込式ティッシュ箱スタンド。
【請求項２】
請求項１記載の差込式ティッシュ箱スタンドにおいて、差込部と一体となった板状構造の脚部に代えて、ティッシュ箱を保持する凸面状の加工を施した脚部を備えた差込式ティッシュ箱スタンドであって、前記脚部は、ティッシュ箱スタンドとしての所定の高さを確保し、ティシュ箱にティッシュ箱スタンドを差し込んだ状態で、ティッシュ箱上面の延長線と、ティッシュ箱スタンドの脚部底辺とが交わる角度を鋭角として、使用時に倒れない脚部底辺の長さ、及びティッシュ箱を保持する脚部上端の厚さを有することを特徴としており、前記差込部を、短側面と、その内側に位置する２つの長側面折返し片との間２箇所を通るように挿入することにより、ティッシュ箱とティッシュ箱スタンドを固定して一体化させることを可能とした、左右一対で単純な構造の差込式ティッシュ箱スタンド。
【請求項３】
ティッシュ箱長側面の隙間にティッシュ箱スタンドを差し込むことによって、ティッシュ箱とティッシュ箱スタンドが一体化し、ティッシュ箱上面を垂直よりやや後方に傾けてティッシュ箱を所定の高さで中空に保持する、左右一対の差込式ティッシュ箱スタンドであって、前記ティッシュ箱スタンドは、ティッシュ箱短側面を覆い隠す形状の外付けの脚部と、外付けの脚部上端を折り返した差込部とが連続してＵ字状に形成されており、前記差込部は、先端が外付けの脚部裏側に接する形状をしており、ティッシュ箱長側面の隙間に上から差し込めるとともに、先端を少し開いて差し込んでも元の位置に戻ってティッシュ箱短側面を挟み込む強度を有し、前記外付けの脚部は、装着時にティッシュ箱の下部が当たる位置にティッシュ箱を受け止める保持部を取り付けまたは形成し、ティッシュ箱スタンドとしての所定の高さを確保し、ティシュ箱にティッシュ箱スタンドを差し込んだ状態で、ティッシュ箱上面の延長線と、ティッシュ箱スタンドの脚部底辺とが交わる角度を鋭角として、使用時に倒れない脚部底辺の長さを有することを特徴としており、前記差込部を、ティッシュ箱長側面の隙間に上から挿入することにより、ティッシュ箱とティッシュ箱スタンドを固定して一体化させることを可能とした、左右一対で単純な構造の差込式ティッシュ箱スタンド。
【請求項４】
差込式ティッシュ箱スタンドの脚部の接地面に滑り止めの部材を装着、接着または塗布したことを特徴とする、請求項１〜３のいずれか１項に記載の、左右一対で単純な構造の差込式ティッシュ箱スタンド。
【請求項５】
差込式ティッシュ箱スタンドの差込部に穴または溝を設け、スタンド本体に装飾を施すことにより壁掛け等として利用することを特徴とする、請求項１〜４のいずれか１項に記載の、左右一対で単純な構造の差込式ティッシュ箱スタンド。
【発明の詳細な説明】
【技術分野】
【０００１】
この発明は、単純な構造でインテリアにも使用できる、差込式ティッシュ箱スタンドに関する。
【背景技術】
【０００２】
従来、ティッシュ箱スタンドとしては、線材を折曲して形成した保持体にティッシュ箱を立てた状態で置いて保持する立体構造のもの（例えば、特許文献１参照）や、ティッシュ箱を台状のスタンドの凹部に置いて挟み込む立体構造のもの（例えば、特許文献２参照）や、スタンド基体上部にある手前に傾斜した保持部にティッシュ箱を置いて取り付ける立体構造のもの（例えば、特許文献３参照）が知られている。
【０００３】
また、ボックス用ホルダで差込式のものとしては、磁石等で冷蔵庫等に取り付けるもの（例えば、特許文献４参照）が知られている。
【特許文献１】実願２００３−２７０００３号公報
【特許文献２】実願平６−９４３８号公報
【特許文献３】特開２００５−１５３９９５号公報
【特許文献４】特開２００４−０００３１３号公報
【発明の開示】
【発明が解決しようとする課題】
【０００４】
しかしながら、以上の技術によれば、前記特許文献１〜３に記載のティッシュ箱スタンドは、立体構造であることから、収納時や運搬時に嵩張るという問題があった。
【０００５】
また、前記特許文献１〜３に記載のティッシュ箱スタンドは、ティッシュ箱をスタンドの上に置くタイプであるため、ティッシュ箱とスタンドの一体化が見られないことから、全体としての装飾的効果が少なく、ティッシュ箱スタンドそのものも台としての機能を重視しているため、単体では装飾品として利用できないという問題があった。
【０００６】
一方、前記特許文献４に記載のボックス用ホルダは、冷蔵庫等にマグネットで据え付けるか、吸盤部材や釘等で壁面に据え付けるものであり、ホルダの性質上自由に移動できないとともに、装飾的効果もほとんどないものであった。
【０００７】
本発明は以上のような従来の問題を解決しようとするものであり、ティッシュ箱スタンドそのものの構造を単純化することにより、収納時や運搬時に嵩張らず、差し込むだけでティッシュ箱と一体化してインテリアとしても利用でき、ティッシュ箱スタンド本体も単体で装飾品として利用できる差込式ティッシュ箱スタンドを実現することを目的とするものである。
【課題を解決するための手段】
【０００８】
本発明は、以上の課題を解決するために、上面にティッシュ取り出し口、側面に長い側面（以下「長側面」という。）と短い側面（以下「短側面」という。）が各２つあるティッシュ箱において、前記長側面の両端にある長側面折返し片と短側面とを軽度に糊付けした隙間（以下「ティッシュ箱長側面の隙間」と言う。）にティッシュ箱スタンドを差し込むことによって、ティッシュ箱とティッシュ箱スタンドが一体化し、ティッシュ箱上面を垂直よりやや後方に傾けてティッシュ箱を所定の高さで中空に保持して、インテリアとしても使用することができ、スタンド本体も単体で装飾品として利用することができるようにした、単純な構造で嵩張らない、左右一対の差込式ティッシュ箱スタンドを提供するものである。
【０００９】
第１の課題解決手段は、前記ティッシュ箱スタンドが差込部と脚部とを有する一枚の板状の構造であって、前記ティッシュ箱スタンドの一端側の差込部と他端側の脚部とが連続して形成されており、前記差込部は、ティッシュ箱長側面の隙間に差し込める厚さと、ティッシュ箱長側面の隙間に内接する幅、及び、短側面両端に接する一方の長側面折返し線から他方の長側面折返し線手前まで達する長さを有し、前記脚部は、ティッシュ箱スタンドとしての所定の高さを確保し、ティシュ箱にティッシュ箱スタンドを差し込んだ状態で、ティッシュ箱上面の延長線と、ティッシュ箱スタンドの脚部底辺とが交わる角度を鋭角として、使用時に倒れない脚部底辺の長さ、及び差込部の幅より広い脚部上端の幅を有することを特徴としており、前記差込部を、短側面と、その内側に位置する２つの長側面折返し片との間２箇所を通るように挿入することにより、ティッシュ箱とティッシュ箱スタンドを固定して一体化させることを可能とした、左右一対で単純な構造の差込式ティッシュ箱スタンドを実現するものであって、この構成によれば、差込式ティッシュ箱スタンドは、板状の単純な構造とすることができるため、製造が簡単で嵩張らず、コストも安く、装着も容易で、且つ、ティッシュ箱と一体化するためティッシュ箱そのものを脚の付いた写真立てのような感覚で飾ることができる。また、脚部の接地面積が少ないため、水に濡れやすい所での使用にも適している。
【００１０】
第２の課題解決手段は、第１の課題解決手段の差込式ティッシュ箱スタンドにおいて、差込部と一体となった板状構造の脚部に代えて、脚部にティッシュ箱を保持する凸面状の加工を施したものであって、前記脚部は、ティッシュ箱スタンドとしての所定の高さを確保し、ティシュ箱にティッシュ箱スタンドを差し込んだ状態で、ティッシュ箱上面の延長線と、ティッシュ箱スタンドの脚部底辺とが交わる角度を鋭角として、使用時に倒れない脚部底辺の長さ、及びティッシュ箱を保持する脚部上端の厚さを有することを特徴としており、前記差込部を、短側面と、その内側に位置する２つの長側面折返し片との間２箇所を通るように挿入することにより、ティッシュ箱とティッシュ箱スタンドを固定して一体化させることを可能とした、左右一対で単純な構造の差込式ティッシュ箱スタンドを実現するものであって、この構成によれば、差込式ティッシュ箱スタンドは、第１の解決手段に比べ凸面状の脚部がやや厚くなるだけであるので、板状に近い単純な構造とすることができ、製造が簡単で嵩張らず、コストも安く、装着も容易で、且つ、ティッシュ箱と一体化するためティッシュ箱そのものを脚の付いた写真立てのような感覚で飾ることができる。更に、脚部がやや厚くなるため、構造的にも視覚的にも安定感が増す。
【００１１】
第３の課題解決手段は、ティッシュ箱短側面を覆い隠す形状の外付けの脚部と外付けの脚部上端を折り返した差込部とが連続してＵ字状に形成されている差込式ティッシュ箱スタンドで、前記差込部は、先端が外付けの脚部裏側に接する形状をしており、ティッシュ箱長側面の隙間に上から差し込めるとともに、先端を少し開いて差し込んでも元の位置に戻ってティッシュ箱短側面を挟み込む強度を有し、前記外付けの脚部は、装着時にティッシュ箱の下部が当たる位置にティッシュ箱を受け止める保持部を取り付けまたは形成し、ティッシュ箱スタンドとしての所定の高さを確保し、ティシュ箱にティッシュ箱スタンドを差し込んだ状態で、ティッシュ箱上面の延長線と、ティッシュ箱スタンドの脚部底辺とが交わる角度を鋭角として、使用時に倒れない脚部底辺の長さを有することを特徴としており、前記差込部を、ティッシュ箱長側面の隙間に上から挿入することにより、ティッシュ箱とティッシュ箱スタンドを固定して一体化させることを可能とした、左右一対で単純な構造の差込式ティッシュ箱スタンドを実現するものであって、この構成によれば、第１の解決手段に比べＵ字状に折り返した差込部がやや厚くなるだけであるので、板状に近い単純な構造とすることができ、製造が簡単で嵩張らず、コストも安く、装着も容易で、且つ、ティッシュ箱と一体化するため、ティッシュ箱そのものを脚の付いた写真立てのような感覚で飾ることができる。また、脚部の接地面積が少ないため、水に濡れやすい所での使用にも適している。更に、外付けの脚部がティッシュ箱の短側面を覆い隠すため装飾的効果が増大する。
【００１２】
第４の課題解決手段は、上記第１〜第３課題解決手段において、脚部の接地面に滑り止めの部材を装着、接着、または塗布するものであり、このことによりティッシュ箱スタンドは更に安定して使用することができる。
【００１３】
第５の課題解決手段は、上記第１〜第４の課題解決手段において、ティッシュ箱スタンドの差込部に穴または溝を設け、ティッシュ箱スタンド本体に文字や動物の形などを繰り抜いたり、イラストや文字などを描いたりして装飾を施すことにより、子供部屋の表札や居間や廊下などの壁掛け等として使おうとするものである。このことによりティッシュ箱スタンドそのものも、ティッシュ箱スタンドとして使用していないときに装飾品として利用することができる。
【発明の効果】
【００１４】
本発明は、ティッシュ箱スタンドそのものが一枚の板状またはごく僅かな突起がある板状に近い単純な構造であり、形状もシンプルなため、製造が簡単で製造コストが安く、また、嵩張らないことから、収納時、運搬時のスペースがわずかで済み、この面においてもコストダウン効果がある。更に、持ち運びに便利なため、すべての実施形態において、企業の広告を差込式ティッシュ箱スタンドに印刷することにより、粗品や記念品などの広告媒体として利用することができる。この場合、デザイン性があり、見せることが好まれる広告であれば外付け用ティッシュ箱スタンドに使うと更に効果的である。
【００１５】
使用する時は、差し込むだけで簡単に装着でき、しかもティッシュ箱とティッシュ箱スタンドを固定して一体化する形状を有するため、装着したまま移動ができる。また、脚部の接地面積が少ないため、水に濡れやすい所での使用にも適している。
【００１６】
更に、一体化したティッシュ箱を所定の高さで中空で保持するため、写真立てのような感覚でティッシュ箱を飾り、インテリアとして使える。
【００１７】
また、ティッシュの取り出し口が正面を向いているため、高い位置においても取り出し易く、ベッドの上の棚などに置いても横になった状態で簡単に使用することができる。
【００１８】
ティッシュ箱スタンド本体も、差込部に穴または溝を設け、文字や動物の形などを繰り抜いたり、イラストや文字などを描いたりすることにより、子供部屋の表札や居間や廊下などの壁掛け等として使うことができる。
【発明を実施するための最良の形態】
【００１９】
以下、本発明の実施の形態を図１〜図６に基づいて説明する。
【００２０】
図１（ａ）〜（ｃ）は、第１の課題解決手段である差込部２ａと脚部３ａとが連続した一枚の板状構造で形成されている差込式ティッシュ箱スタンド１ａの実施形態である。
【００２１】
図１（ａ）は、左右一対の差込式ティッシュ箱スタンド１ａをティッシュ箱に装着した状態の斜視図で，ティッシュ箱の中に隠れている部分が差込部２ａで、外に出ている部分が脚部３ａである。図１（ｂ）は、左右一対の差込式ティッシュ箱スタンド１ａの斜視図である。図１（ｃ）は、同ティッシュ箱スタンド１ａの右側面図である。
【００２２】
図１（ｂ）〜（ｃ）に示す差込式ティッシュ箱スタンド１ａの差込部２ａの厚さＴは、上記差込式ティッシュ箱スタンド１ａが一枚の板状構造であるため、脚部３ａの厚さともなる。従って、図２（ａ）に示すティッシュ箱長側面の隙間Ａに差し込めるだけでなく、ティッシュ箱スタンド１ａの脚部としての強度も備えていなければならないので、１．０〜３．０ｍｍ程度の厚さを有している。
【００２３】
図１（ｂ）〜（ｃ）に示す差込部２ａの幅Ｗは、ティッシュ箱に差し込んだティッシュ箱スタンド１ａが簡単に抜けないようにするために、図２（ａ）に示すティッシュ箱長側面の隙間Ａの幅Ｂに内接する幅を有している。
【００２４】
図１（ｃ）に示す差込部２ａの長さＳは、ティッシュ箱とティッシュ箱スタンド１ａを固定するために、図２（ａ）〜（ｂ）に示すティッシュ箱短側面４の両端に接する一方の長側面折返し線Ｃ１から他方の長側面折返し線Ｃ２手前まで達する長さを有している。
【００２５】
図１（ｂ）〜（ｃ）に示す脚部３ａは、ティッシュ箱を所定の高さで中空に保持するために、ティッシュ箱スタンド１ａとしての所定の高さＨ１を確保し、ティッシュ箱上面を垂直よりやや後方に傾斜させるために、図１（ａ）に示す、ティシュ箱にティッシュ箱スタンド１ａを差し込んだ状態で、ティッシュ箱上面の延長線と、ティッシュ箱スタンドの脚部底辺とが交わる角度α１を鋭角となるように取り、装着したティッシュ箱が後方に倒れないようにするために、脚部底辺の後端Ｐ１が、差込部上端の後端Ｒ１から脚部底辺に下ろした垂線の交点よりも後方になるように脚部底辺の長さＬ１を取って、脚部底辺の後端Ｐ１と差込部下端の後端Ｑとを直線で結ぶ形状となっている。脚部底辺の後端Ｐ１と差込部下端の後端Ｑとを直線で結ぶことにより、脚部上端の幅は差込部の幅Ｗより広くなるため、装着したティッシュ箱を支えることができる。但しこの形状は一例であり、脚部上端の幅を差込部の幅Ｗより広く取れば、どのような形状でＰ１とＱとを結んでもよい。なお、脚部底辺の後端Ｐ１が差込部上端の後端Ｒ１から脚部底辺に下ろした垂線の交点に近いほど設置スペースは小さくなる
【００２６】
ところで、図２（ａ）のティッシュ箱の斜視図、及び図２（ｂ）の短側面４を開いて長側面の隙間Ａの内部を示した斜視図で判るように、市販のほとんどのティッシュ箱は、ティッシュ箱を壊すための解体用の穴になる部分Ｄを短側面中央部分に取っているため、ティッシュ箱長側面折返し片５は解体用の穴になる部分Ｄにかからないように短くなっており、２つの長側面折返し片５は繋がっていない。従って、差込部２ａをティッシュ箱長側面の隙間Ａに差し込み長側面折返し片５と短側面４との糊付けを剥がすと、長側面折返し片５の先端の支えがなくなる。その結果、短側面４の内側にある長側面折返し片５は差込部２ａをティッシュ箱の内側から支えて固定することができなくなる。差込部２ａを内側から支えて固定するためには、差込部２ａがティッシュ箱長側面の隙間Ａを貫通すれば確実であるが、それでは差込部２ａがティッシュ箱からはみ出す。差込部２ａがティッシュ箱からはみ出さずしかもティッシュ箱の内側から差込部２ａを支えて固定するためには、ティッシュ箱折返し線Ｃ１側から挿入し、貫通した時と同程度の支えが期待できるティッシュ箱長側面折返し線Ｃ２手前まで差し込まなければならない。
【００２７】
上記構成によれば、図１（ｂ）〜（ｃ）に示すティッシュ箱スタンドの差込部２ａは、ティッシュ箱短側面４と、その内側に位置する２つの長側面折返し片５との間２箇所を通り、且つ、当該短側面両端に接する一方の長側面折返し線Ｃ１から他方の長側面折返し線Ｃ２手前まで達するように差し込むことができるため、ティッシュ箱とティッシュ箱スタンドは確実に固定される。
【００２８】
更に、上記ティッシュ箱スタンド１ａは差込式であるため装着も簡単で、１枚の板状の単純な構造であるにもかかわらず、ティッシュ箱に装着すれば、ティッシュ箱と一体化して安定した立体構造を形づくり、装着したまま移動ができるとともに、脚部の接地面積が少ないため、水に濡れやすい所での使用にも適している。また、一体化したティッシュ箱を所定の高さで中空で保持するため、写真立てのような感覚でティッシュ箱を飾ることができる。
【００２９】
また、ティッシュ箱スタンド本体は単純な構造であるため、製造が簡単で製造コストも安く、収納、運搬時にも嵩張らない。
【００３０】
なお、ティッシュ箱スタンドを差し込む時は、図２（ａ）〜（ｂ）に示す４箇所のティッシュ箱長側面の隙間Ａに差込部２ａを軽く挿入して、短側面４と長側面折返し片５との糊付け部分をあらかじめ剥がしておくと、よりスムーズに装着することができる。ただ、糊付け部分を剥がしても長側面折返し片５の先端は短側面４の内側に接しているので、長側面折返し線Ｃ２側の長側面折返し片５を指で軽く内側に押し短側面４との隙間を確保して、長側面折返し線Ｃ１側からティッシュ箱スタンドを差し込むと、差込口の反対側にある長側面折返し片５と短側面４の間に確実に差込部２ａを挿入することができる。
【００３１】
図３（ａ）〜（ｃ）は、差込部と脚部とが連続した一枚の板状構造で形成されている第１の課題解決手段のティッシュ箱スタンド１ａの脚部３ａに代えて、ティッシュ箱を保持する凸面状の加工を施した脚部３ｂを有する第２の課題解決手段である差込式ティッシュ箱スタンド１ｂの実施形態である。
【００３２】
図３（ａ）は、左右一対の差込式ティッシュ箱スタンド１ｂをティッシュ箱に装着した状態の斜視図である。図３（ｂ）は、左右一対の差込式ティッシュ箱スタンド１ｂの斜視図である。図３（ｃ）は、同ティッシュ箱スタンド１ｂの右側面図である。
【００３３】
図３（ｂ）〜（ｃ）に示す差込式ティッシュ箱スタンド１ｂの脚部３ｂは、ティッシュ箱を所定の高さで中空に保持するために、脚部上端の厚さを図２（ａ）に示すティッシュ箱長側面６に架かるよう厚くして、ティッシュ箱スタンドとしての所定の高さＨ２を確保し、ティッシュ箱上面を垂直よりやや後方に傾斜させるために、図３（ａ）に示す、ティシュ箱にティッシュ箱スタンドを差し込んだ状態で、ティッシュ箱上面の延長線と、ティッシュ箱スタンドの脚部底辺とが交わる角度α２を鋭角となるように取り、装着したティッシュ箱が後方に倒れないようにするために、脚部底辺の後端Ｐ２が、差込部上端の後端Ｒ２から脚部底辺に下ろした垂線の交点よりも後方になるように脚部底辺の長さＬ２を取っている。脚部底辺の後端Ｐ２が差込部上端の後端Ｒ２から脚部底辺に下ろした垂線の交点に近いほど設置スペースは小さくなる
【００３４】
この構成によれば、差込式ティッシュ箱スタンド１ｂは、第１の解決手段に比べ凸面状の脚部３ｂがやや厚くなるだけで、差込部２ｂの形状は同一である。従って、板状に近い単純な構造に変わりはないため、第１の課題解決手段とほぼ同等の機能と操作性を有し、加えて、脚部３ｂがやや厚くなることによって、構造的にも視覚的にも安定感が増すことになる。
【００３５】
なお、当該脚部の加工は成型、接着、切断等素材に適した加工を行えばよいが、かなり厚くなる場合は、軽めの素材を使用するか軽くなる加工を施すことが好ましい。
【００３６】
図４（ａ）〜（ｃ）は、ティッシュ箱側面を覆い隠す形状の外付けの脚部３ｃと外付けの脚部上端を折り返した差込部２ｃとが連続してＵ字状に形成された第３の課題解決手段である差込式ティッシュ箱スタンド１ｃの実施形態である。
【００３７】
図４（ａ）は、左右一対の差込式ティッシュ箱スタンド１ｃをティッシュ箱に装着した状態の斜視図である。図４（ｂ）は、左右一対の差込式ティッシュ箱スタンド１ｃの斜視図である。図４（ｃ）は、同ティッシュ箱スタンド１ｃの右側面図である。
【００３８】
図４（ｂ）〜（ｃ）に示す差込式ティッシュ箱スタンド１ｃは、差込部２ｃを、図２（ａ）に示すティッシュ箱長側面の隙間Ａに上から差し込んで使用するものである。
【００３９】
差込部２ｃは、外付けの脚部３ｃの上端からＵ字状に折り返し、先端が外付けの脚部裏側に接し、差し込む際に先端を少し開いて、図２（ａ）に示すティッシュ箱長側面の隙間Ａに上から挿入しても元の位置に戻り、ティッシュ箱短側面４を挟み込む強度と、ティッシュ箱長側面の隙間Ａに上から差し込める厚さと幅を有している。
【００４０】
外付けの脚部３ｃの裏側には、装着時にティッシュ箱の下部が当たる位置にティッシュ箱を受け止める保持部７を取り付けまたは形成し、ティッシュ箱を所定の高さで中空に保持するために、ティッシュ箱スタンドとしての所定の高さＨ３を確保し、ティッシュ箱上面を垂直よりやや後方に傾斜させるために、図４（ａ）に示す、ティシュ箱にティッシュ箱スタンドを差し込んだ状態で、ティッシュ箱上面の延長線と、ティッシュ箱スタンドの脚部底辺とが交わる角度α３を鋭角となるように取り、装着したティッシュ箱が後方に倒れないようにするために、脚部底辺の後端Ｐ３が、差込部上端の後端Ｒ３から脚部底辺に下ろした垂線の交点よりも後方になるように脚部底辺の長さＬ３を取っている。脚部底辺の後端Ｐ３が差込部上端の後端Ｒ３から脚部底辺に下ろした垂線の交点に近いほど設置スペースは小さくなる
【００４１】
なお、上記保持部７は、外付けの脚部裏側に凸面状の突起を形成してもよく、棒状の直方体を接着してもよく、あるいは素材によっては棒状の磁石を取り付けてもよい。ただし、これらの保持部７の形態はあくまでも一例であって、適宜変更して実施してよい。
【００４２】
この構成によれば、差込式ティッシュ箱スタンド１ｃは、図１の実施形態に比べ外付けの脚部３ｃの上端を折り返した差込部２ｃがやや厚くなるだけで、板状に近い単純な構造に変わりはないため、第１の解決手段とほぼ同等の機能を有し、加えて、外付けの脚部３ｃがティッシュ箱の短側面を覆い隠すため装飾的効果が増大する。
【００４３】
図５は、図１（ｂ）〜（ｃ）に示す差込部２ａと脚部３ａとが連続した一枚の板状構造で形成されている差込式ティッシュ箱スタンド１ａの接地面にゴム製等の滑り止めの部材８を装着した斜視図である。ゴム製等の滑り止め部材は一例であり、滑り止めの機能を有していれば他の部材を装着あるいは接着しても、滑り止めの素材を塗布してもよい。
【００４４】
上記３つの実施形態におけるティッシュ箱スタンドの接地面は、厚さの違いは少しあるもののほぼ同一の形状をしているため、代表例としてティッシュ箱スタンド１ａのみの斜視図を描いたものであり、上記３つの実施形態に、滑り止めの部材８を装着、接着または塗布することにより、差込式ティッシュ箱スタンドが更に安定するようになる。
【００４５】
図６（ａ）〜（ｂ）は、差込式ティッシュ箱スタンドの差込部に穴９または溝１０を設けた斜視図である。
【００４６】
図６（ａ）は、差込部と脚部とが連続した一枚の板状構造、または脚部に凸面状の加工をした一枚の板状に近い構造のティッシュ箱スタンドの一例であり、差込部に壁掛けなどに使うための穴９を設けたもので、図６（ｂ）は、外付けの脚部を有するティッシュ箱スタンドの一例であり、差込部に壁掛けなどに使うための溝１０を設けたものである。
【００４７】
スタンド本体に文字や動物の形などを繰り抜いたり、イラストや文字などを描いたりして装飾を施すことにより、子供部屋の表札や居間や廊下などの壁掛け等として使おうとするものであり、このことにより差込式ティッシュ箱スタンド本体も、スタンドとして使用していない時に装飾品として利用することができる。また、未使用時の収納スペースが不要となるとともに、何処に仕舞い込んだのか判らなくなるということもなくなる。
【００４８】
上記の全ての実施形態において、差込式ティッシュ箱スタンド本体が単純な構造で持ち運びに便利なため、企業の広告を差込式ティッシュ箱スタンドに印刷することにより、粗品や記念品などの広告媒体として利用することができる。この場合、デザイン性があり、見せることが好まれる広告であれば外付け用ティッシュ箱スタンドに使えば更に効果的である。
【００４９】
なお、差込式ティッシュ箱スタンドに使用する部材については、アクリル板などの合成樹脂やアルミニウム板、ステンレス板、スチール板などの金属が好ましいが、上記各実施形態に記載した機能を有する部材であればその他の部材で実施してもよい。また、全ての実施形態において、安全対策のため適宜、角の面取りを行う。
【００５０】
以上述べた各構成は一例であって、上記機能を有する範囲内で適宜形状や加工方法を変更して実施してもよい。
【図面の簡単な説明】
【００５１】
【図１】本発明における、差込部と脚部とが一枚の板状構造で形成されている差込式ティッシュ箱スタンドの実施形態で、（ａ）はティッシュ箱にティッシュ箱スタンドを差し込んだ状態の斜視図、（ｂ）は左右一対のティッシュ箱スタンドの斜視図、（ｃ）は同ティッシュ箱スタンドの右側面図。
【図２】市販のティッシュ箱の（ａ）は斜視図、（ｂ）は短側面を開いた斜視図。
【図３】本発明における、脚部にティッシュ箱を保持する凸面状の加工を施した差込式ティッシュ箱スタンドの実施形態で、（ａ）はティッシュ箱にティッシュ箱スタンドを差し込んだ状態の斜視図、（ｂ）は左右一対のティッシュ箱スタンドの斜視図、（ｃ）は同ティッシュ箱スタンドの右側面図。
【図４】本発明における、外付けの脚部と外付けの脚部上端を折り返した差込部とが連続してＵ字状に形成された差込式ティッシュ箱スタンドの実施形態で、（ａ）はティッシュ箱にティッシュ箱スタンドを差し込んだ状態の斜視図、（ｂ）は左右一対のティッシュ箱スタンドの斜視図、（ｃ）は同ティッシュ箱スタンドの右側面図。
【図５】本発明における、図１の差込式ティッシュ箱スタンドの脚部に滑り止めを施した斜視図。
【図６】本発明における、差込式ティッシュ箱スタンドの差込部に、（ａ）は穴を設けた板状構造の差込式ティッシュ箱スタンドの斜視図、（ｂ）は溝を設けた、外付けの脚部を有する差込式ティッシュ箱スタンドの斜視図。
【符号の説明】
【００５２】
１ａ、１ｂ、１ｃ  差込式ティッシュ箱スタンド
２ａ、２ｂ、２ｃ  差込部
３ａ、３ｂ、３ｃ  脚部
４  ティッシュ箱短側面
５  ティッシュ箱長側面折返し片
６  ティッシュ箱長側面
７  外付けの脚部におけるティッシュ箱を受け止める保持部
８  滑り止めの部材
９  差込部の穴
１０  差込部の溝
Ａ  ティッシュ箱長側面の隙間
Ｂ  ティッシュ箱長側面の隙間の幅
Ｃ１、Ｃ２  ティッシュ箱長側面折返し線
Ｄ  解体用穴となる部分
Ｔ  差込部の厚さ
Ｗ  差込部の幅
Ｓ  差込部の長さ
α１、α２、α３  ティッシュ箱にティッシュ箱スタンドを差し込んだ状態でティッシュ箱上面の延長線と脚部の底辺とが交わる角度
Ｈ１、Ｈ２、Ｈ３  ティッシュ箱スタンドとしての所定の高さ
Ｌ１、Ｌ２、Ｌ３  脚部底辺の長さ
Ｐ１、Ｐ２、Ｐ３  脚部底辺の後端
Ｑ  差込部下端の後端
Ｒ１、Ｒ２  差込部上端の後端
Ｒ３  外付けの脚部上端の後端
【図１】
2008272291.tif 000003
【図２】
2008272291.tif 000004
【図３】
2008272291.tif 000005
【図４】
2008272291.tif 000006
【図５】
2008272291.tif 000007
【図６】
2008272291.tif 000008
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
上面にティッシュ取り出し口、側面に長い側面（以下「長側面」という。）と短い側面（以下「短側面」という。）が各２つあるティッシュ箱において、前記長側面の両端にある長側面折返し片と短側面とを軽度に糊付けした隙間（以下「ティッシュ箱長側面の隙間」と言う。）に板状構造のティッシュ箱スタンドを差し込むことによって、ティッシュ箱とティッシュ箱スタンドが一体化し、ティッシュ箱上面を垂直よりやや後方に傾けてティッシュ箱を所定の高さで中空に保持する、左右一対の板状構造の差込式ティッシュ箱スタンドであって、前記ティッシュ箱スタンドは差込部と脚部とを有し、前記ティッシュ箱スタンドの一端側の差込部と他端側の脚部とが連続して形成されており、前記差込部は、ティッシュ箱長側面の隙間に差し込める厚さと、ティッシュ箱長側面の隙間に内接する幅、及び短側面両端に接する一方の長側面折返し線から他方の長側面折返し線手前まで達する長さを有し、前記脚部は、ティッシュ箱スタンドとしての所定の高さを確保し、ティシュ箱にティッシュ箱スタンドを差し込んだ状態で、ティッシュ箱上面の延長線と、ティッシュ箱スタンドの脚部底辺とが交わる角度を鋭角として、使用時に倒れない脚部底辺の長さ、及び差込部の幅より広い脚部上端の幅を有することを特徴としており、前記の長さを有する差込部を、短側面と、その内側に位置する２つの長側面折返し片との間２箇所を通るように挿入することにより、ティッシュ箱とティッシュ箱スタンドを固定して一体化させ、安定した立体構造を形作ることを可能とした、左右一対で単純な板状構造の差込式ティッシュ箱スタンド。
【手続補正２】
【補正対象書類名】明細書
【補正対象項目名】０００１
【補正方法】変更
【補正の内容】
【０００１】
この発明は、単純な板状構造でインテリアにも使用できる、差込式ティッシュ箱スタンドに関する。
【手続補正３】
【補正対象書類名】明細書
【補正対象項目名】０００７
【補正方法】変更
【補正の内容】
【０００７】
本発明は以上のような従来の問題を解決しようとするものであり、ティッシュ箱スタンドそのものの構造を単純な板状構造にすることにより、収納時や運搬時に嵩張らず、差し込むだけでティッシュ箱と一体化してインテリアとしても利用でき、ティッシュ箱スタンド本体も単体で装飾品として利用できる差込式ティッシュ箱スタンドを実現することを目的とするものである。
【手続補正４】
【補正対象書類名】明細書
【補正対象項目名】０００８
【補正方法】変更
【補正の内容】
【０００８】
本発明は、以上の課題を解決するために、上面にティッシュ取り出し口、側面に長い側面（以下「長側面」という。）と短い側面（以下「短側面」という。）が各２つあるティッシュ箱において、前記長側面の両端にある長側面折返し片と短側面とを軽度に糊付けした隙間（以下「ティッシュ箱長側面の隙間」と言う。）に板状構造のティッシュ箱スタンドを差し込むことによって、ティッシュ箱とティッシュ箱スタンドが一体化し、ティッシュ箱上面を垂直よりやや後方に傾けてティッシュ箱を所定の高さで中空に保持して、インテリアとしても使用することができ、ティッシュ箱スタンド本体も単体で装飾品として利用することができるようにした、単純な板状構造で嵩張らない、左右一対の差込式ティッシュ箱スタンドを提供するものである。
【手続補正５】
【補正対象書類名】明細書
【補正対象項目名】０００９
【補正方法】変更
【補正の内容】
【０００９】
前記ティッシュ箱スタンドは差込部と脚部とを有する一枚の板状の構造であって、前記ティッシュ箱スタンドの一端側の差込部と他端側の脚部とが連続して形成されており、前記差込部は、ティッシュ箱長側面の隙間に差し込める厚さと、ティッシュ箱長側面の隙間に内接する幅、及び短側面両端に接する一方の長側面折返し線から他方の長側面折返し線手前まで達する長さを有し、前記脚部は、ティッシュ箱スタンドとしての所定の高さを確保し、ティシュ箱にティッシュ箱スタンドを差し込んだ状態で、ティッシュ箱上面の延長線と、ティッシュ箱スタンドの脚部底辺とが交わる角度を鋭角として、使用時に倒れない脚部底辺の長さ、及び差込部の幅より広い脚部上端の幅を有することを特徴としており、前記の長さを有する差込部を、短側面と、その内側に位置する２つの長側面折返し片との間２箇所を通るように挿入することにより、ティッシュ箱とティッシュ箱スタンドを固定して一体化させ、安定した立体構造を形作ることを可能とした、左右一対で単純な板状構造の差込式ティッシュ箱スタンドを実現するものであって、この構成によれば、差込式ティッシュ箱スタンドは、板状の単純な構造とすることができるため、製造が簡単で嵩張らず、コストも安く、装着も容易で、且つ、ティッシュ箱と一体化して、安定した立体構造を形作るためティッシュ箱そのものを脚の付いた写真立てのような感覚で飾ることができる。また、脚部の接地面積が少ないため、水に濡れやすい所での使用にも適している。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明は、ティッシュ箱スタンドそのものが一枚の板状構造であり、形状もシンプルなため、製造が簡単で製造コストが安く、また、嵩張らないことから、収納時、運搬時のスペースがわずかで済み、この面においてもコストダウン効果がある。更に、持ち運びに便利なため、企業の広告を差込式ティッシュ箱スタンドに印刷することにより、粗品や記念品などの広告媒体として利用することができる。
【手続補正１１】
【補正対象書類名】明細書
【補正対象項目名】００２０
【補正方法】変更
【補正の内容】
【００２０】
図１（ａ）〜（ｃ）は、差込部２ａと脚部３ａとが連続した一枚の板状構造で形成されている差込式ティッシュ箱スタンド１ａの実施形態である。
【手続補正１２】
【補正対象書類名】明細書
【補正対象項目名】００２４
【補正方法】変更
【補正の内容】
【００２４】
図１（ｃ）に示す差込部２ａの長さＳは、ティッシュ箱とティッシュ箱スタンド１ａを固定して一体化するために、図２（ａ）〜（ｂ）に示すティッシュ箱短側面４の両端に接する一方の長側面折返し線Ｃ１から他方の長側面折返し線Ｃ２手前まで達する長さを有している。
【手続補正１３】
【補正対象書類名】明細書
【補正対象項目名】００２９
【補正方法】変更
【補正の内容】
【００２９】
また、ティッシュ箱スタンド本体は単純な板状構造であるため、製造が簡単で製造コストも安く、収納、運搬時にも嵩張らない。
【手続補正１４】
【補正対象書類名】明細書
【補正対象項目名】００３１
【補正方法】変更
【補正の内容】
【００３１】
図３（ａ）〜（ｃ）は、本発明の変形例として、ティッシュ箱スタンド１ａの脚部３ａに代えて、ティッシュ箱を保持する凸面状の加工を施した脚部３ｂを有する差込式ティッシュ箱スタンド１ｂの参考図である。
【手続補正１５】
【補正対象書類名】明細書
【補正対象項目名】００３４
【補正方法】変更
【補正の内容】
【００３４】
この構成によれば、差込式ティッシュ箱スタンド１ｂは、図１の実施形態に比べ凸面状の脚部３ｂがやや厚くなるだけで、差込部２ｂの形状は同一である。従って、板状に近い単純な構造であるため、本発明のティッシュ箱スタンドとほぼ同等の機能と操作性を有し、加えて、脚部３ｂがやや厚くなることによって、構造的にも視覚的にも安定感が増すことになる。
【手続補正１６】
【補正対象書類名】明細書
【補正対象項目名】００３６
【補正方法】変更
【補正の内容】
【００３６】
図４（ａ）〜（ｃ）も、本発明の変形例として、ティッシュ箱側面を覆い隠す形状の外付けの脚部３ｃと外付けの脚部上端を折り返した差込部２ｃとが連続してＵ字状に形成された差込式ティッシュ箱スタンド１ｃの参考図である。
【手続補正１７】
【補正対象書類名】明細書
【補正対象項目名】００４２
【補正方法】変更
【補正の内容】
【００４２】
この構成によれば、差込式ティッシュ箱スタンド１ｃは、図１の実施形態に比べ外付けの脚部３ｃの上端を折り返した差込部２ｃがやや厚くなるだけで、板状に近い単純な構造であるため、本発明のティッシュ箱スタンドとほぼ同等の機能を有し、加えて、外付けの脚部３ｃがティッシュ箱の短側面を覆い隠すため装飾的効果が増大する。
【手続補正１８】
【補正対象書類名】明細書
【補正対象項目名】００４３
【補正方法】変更
【補正の内容】
【００４３】
図５は、図１（ｂ）〜（ｃ）に示す差込部２ａと脚部３ａとが連続した一枚の板状構造で形成されている差込式ティッシュ箱スタンド１ａの接地面にゴム製等の滑り止めの部材８を装着した参考図である。ゴム製等の滑り止め部材は一例であり、滑り止めの機能を有していれば他の部材を装着あるいは接着しても、滑り止めの素材を塗布してもよく、このことにより差込式ティッシュ箱スタンドが更に安定するようになる。
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】変更
【補正の内容】
【００４５】
図６（ａ）〜（ｂ）は、差込式ティッシュ箱スタンドの差込部に穴９または溝１０を設けた参考図である。
【手続補正２１】
【補正対象書類名】明細書
【補正対象項目名】００４７
【補正方法】変更
【補正の内容】
【００４７】
ティッシュ箱スタンド本体に文字や動物の形などを繰り抜いたり、イラストや文字などを描いたりして装飾を施すことにより、子供部屋の表札や居間や廊下などの壁掛け等として使おうとするものであり、このことにより差込式ティッシュ箱スタンド本体も、ティッシュ箱スタンドとして使用していない時に装飾品として利用することができる。また、未使用時の収納スペースが不要となるとともに、何処に仕舞い込んだのか判らなくなるということもなくなる。
【手続補正２２】
【補正対象書類名】明細書
【補正対象項目名】００４８
【補正方法】変更
【補正の内容】
【００４８】
また、差込式ティッシュ箱スタンド本体が単純な構造で持ち運びに便利なため、企業の広告を差込式ティッシュ箱スタンドに印刷することにより、粗品や記念品などの広告媒体として利用することができる。
【手続補正２３】
【補正対象書類名】明細書
【補正対象項目名】００４９
【補正方法】変更
【補正の内容】
【００４９】
なお、差込式ティッシュ箱スタンドに使用する部材については、アクリル板などの合成樹脂やアルミニウム板、ステンレス板、スチール板などの金属が好ましいが、上記実施形態に記載した機能を有する部材であればその他の部材で実施してもよい。また、安全対策のため適宜、角の面取りを行う。
【手続補正２４】
【補正対象書類名】明細書
【補正対象項目名】００５１
【補正方法】変更
【補正の内容】
【００５１】
【図１】本発明における、差込部と脚部とが一枚の板状構造で形成されている差込式ティッシュ箱スタンドの実施形態で、（ａ）はティッシュ箱にティッシュ箱スタンドを差し込んだ状態の斜視図、（ｂ）は左右一対のティッシュ箱スタンドの斜視図、（ｃ）は同ティッシュ箱スタンドの右側面図。
【図２】市販のティッシュ箱の（ａ）は斜視図、（ｂ）は短側面を開いた斜視図。
【図３】本発明の変形例である、脚部にティッシュ箱を保持する凸面状の加工を施した差込式ティッシュ箱スタンドの参考図で、（ａ）はティッシュ箱にティッシュ箱スタンドを差し込んだ状態の斜視図、（ｂ）は左右一対のティッシュ箱スタンドの斜視図、（ｃ）は同ティッシュ箱スタンドの右側面図。
【図４】本発明の変形例である、外付けの脚部と外付けの脚部上端を折り返した差込部とが連続してＵ字状に形成された差込式ティッシュ箱スタンドの参考図で、（ａ）はティッシュ箱にティッシュ箱スタンドを差し込んだ状態の斜視図、（ｂ）は左右一対のティッシュ箱スタンドの斜視図、（ｃ）は同ティッシュ箱スタンドの右側面図。
【図５】本発明における、図１の差込式ティッシュ箱スタンドの脚部に滑り止めを施した参考図。
【図６】（ａ）は、本発明における、板状構造の差込式ティッシュ箱スタンドの差込部に、穴を設けた参考図、（ｂ）は、本発明の変形例である外付けの脚部を有する差込式ティッシュ箱スタンドに溝を設けた参考図。